(57)【要約】      （修正有）【課題】先端チップとコアワイヤとを強固に固着することができ、先端部の柔軟性を確保することができるカテーテルを提供する。【解決手段】カテーテル１は、第１中空シャフトと、基端が中空シャフトの先端に接合され、径方向に拡張または収縮するように構成されたチューブ状のメッシュ部材２０と、メッシュ部材２０の先端に接合された先端チップ３０と、先端部が先端チップ３０に接合され、基端が第１中空シャフトの基端よりも基端側に位置するように、メッシュ部材２０および第１中空シャフトの内側を延びるコアワイヤ５０と、を備え、コアワイヤ５０の先端部５３には１又は複数の貫通穴５４が形成され、貫通穴５４に先端チップ３０の一部が入り込んでいる。【選択図】図３
2020062318.tif 000002
【特許請求の範囲】
【請求項１】
中空シャフトと、
基端が前記中空シャフトの先端に接合され、径方向に拡張または収縮するように構成されたチューブ状のメッシュ部材と、
前記メッシュ部材の先端に接合された先端チップと、
先端部が前記先端チップに接合され、基端が前記中空シャフトの基端よりも基端側に位置するように、前記メッシュ部材および前記中空シャフトの内側を延びるコアワイヤと、を備え、
前記コアワイヤの前記先端部には１又は複数の穴が形成され、前記穴に前記先端チップの一部が入り込んでいる、カテーテル。
【請求項２】
前記穴は、貫通穴であり、
前記貫通穴に前記先端チップの一部が入り込んでいる、請求項１に記載のカテーテル。
【請求項３】
前記貫通穴は、先端に向かうにつれて幅が広がるように形成されている、請求項２に記載のカテーテル。
【請求項４】
前記穴は、凹部であり、
前記凹部に前記先端チップの一部が入り込んでいる、請求項１に記載のカテーテル。
【請求項５】
前記凹部は、前記コアワイヤの長軸方向に対し交差する方向に延びる、請求項４に記載のカテーテル。
【請求項６】
前記先端部は、平板状をなしている、請求項１から請求項５のいずれか一項に記載のカテーテル。
【請求項７】
前記コアワイヤの前記先端部は、先端に向かうにつれて厚さが減少するテーパ形状をなしている、請求項１から請求項５のいずれか一項に記載のカテーテル。
【発明の詳細な説明】
【技術分野】
【０００１】
本発明は、カテーテルに関する。
【背景技術】
【０００２】
慢性完全閉塞（ＣＴＯ：Ｃｈｏｒｏｎｉｃ  ｔｏｔａｌ  ｏｃｃｌｕｓｉｏｎ）のような血管を閉塞する閉塞物を除去して血流を改善する医療器具として、例えば、血管内の閉塞物が存する部位において、上記閉塞部を除去するためにメッシュ状のブレーデッドワイヤを径方向に拡張するものがある（例えば、特許文献１参照）。
【０００３】
特許文献１の医療器具では、ガイドワイヤの先端が座面に嵌め込まれており、ガイドワイヤを引っ張り、座面がワイヤの先端に設けられた環状体を押圧することにより、ワイヤが拡径する。
【先行技術文献】
【特許文献】
【０００４】
【特許文献１】特許第３６５５９２０号公報
【発明の概要】
【発明が解決しようとする課題】
【０００５】
しかし、特許文献１の医療器具では、ガイドワイヤの先端が座面に嵌め込まれているだけであるので、ガイドワイヤが座面に対し強固に固着されていない。また、座面は、ビーズまたはハンダ等により構成されているため、医療器具の先端部の柔軟性を確保することができない。
【０００６】
本発明は、以上のような事情に基づいてなされたものであり、その目的は、先端チップとコアワイヤとを強固に固着することができ、先端部の柔軟性を確保することができるカテーテルを提供することにある。
【課題を解決するための手段】
【０００７】
かかる目的を達成するために、本発明の一形態に係るカテーテルは、中空シャフトと、基端が前記中空シャフトの先端に接合され、径方向に拡張または収縮するように構成されたチューブ状のメッシュ部材と、前記メッシュ部材の先端に接合された先端チップと、先端部が前記先端チップに接合され、基端が前記中空シャフトの基端よりも基端側に位置するように、前記メッシュ部材および前記中空シャフトの内側を延びるコアワイヤと、を備え、前記コアワイヤの前記先端部には１又は複数の穴が形成され、前記穴に前記先端チップの一部が入り込んでいる。
【０００８】
前記穴は、貫通穴であり、前記貫通穴に前記先端チップの一部が入り込んでいてもよい。
【０００９】
前記貫通穴は、先端に向かうにつれて幅が広がるように形成されていてもよい。
【００１０】
前記穴は、凹部であり、前記凹部に前記先端チップの一部が入り込んでいてもよい。
【００１１】
前記凹部は、前記コアワイヤの長軸方向に対し交差する方向に延びていてもよい。
【００１２】
前記先端部は、平板状をなしていてもよい。
【００１３】
前記コアワイヤの前記先端部は、先端に向かうにつれて厚さが減少するテーパ形状をなしていてもよい。
【発明の効果】
【００１４】
本発明は、先端チップとコアワイヤとを強固に固着することができ、先端部の柔軟性を確保することができるカテーテルを提供することができる。
【図面の簡単な説明】
【００１５】
【図１】第１の実施形態に係るカテーテルの概略断面図であり、メッシュ部材が収縮した状態を示す図である。
【図２】（ａ）は、コアワイヤの平面視の概略図であり、（ｂ）はコアワイヤの側面視の概略図である。
【図３】第１の実施形態に係るカテーテルの先端部の拡大断面図である。
【図４】第１の実施形態に係るカテーテルの概略断面図であり、メッシュ部材が拡張した状態を示す図である。
【図５】コアワイヤの貫通穴の変形例を示す図である。
【図６】コアワイヤの貫通穴の変形例を示す図である。
【図７】コアワイヤの貫通穴の変形例を示す図である。
【図８】コアワイヤの貫通穴の変形例を示す図である。
【図９】第２の実施形態に係るカテーテルの先端部の拡大断面図である。
【図１０】（ａ）は、コアワイヤの平面視の概略図であり、（ｂ）は（ａ）に示したコアワイヤのＩＸｂ−ＩＸｂ線に沿った概略断面図である。
【図１１】コアワイヤの凹部の変形例を示す図である。
【図１２】コアワイヤの先端部の変形例を示す図である。
【発明を実施するための形態】
【００１６】
本発明の実施形態に係るカテーテルについて図面を参照して説明するが、本発明は、当該図面に記載の実施形態にのみ限定されるものではない。
【００１７】
なお、本明細書において、「順行性ガイドワイヤ」とは、ガイドワイヤのうち、カテーテルに先立って血管中の閉塞部位などの術部に押し進められるガイドワイヤを意味し、「逆行性ガイドワイヤ」とは、ガイドワイヤのうち、例えば血管内をカテーテルの先端側から向かって来るガイドワイヤを意味する。
【００１８】
また、本明細書において、「先端側」とは、カテーテルの長手方向に沿った方向であってメッシュ部材に対する先端チップが位置する方向を指す。「基端側」とは、上記長手方向に沿った方向であって上記先端側とは反対の方向を指す。「先端」とは、カテーテルを構成する各部材における上記先端側の端部を指す。「基端」とは、カテーテルを構成する各部材における上記基端側の端部を指す。
【００１９】
［第１の実施形態］
図１は、本発明の第１の実施形態に係るカテーテル１の概略断面図であり、メッシュ部材２０が収縮した状態を示す図である。
図１において、図示左側が体内に挿入される先端側（遠位側）、右側が医師等の手技者によって操作される基端側（手元側、近位側）である。
【００２０】
図１に示すように、カテーテル１は、第１中空シャフト１０と、メッシュ部材２０と、先端チップ３０と、第２中空シャフト４０と、コアワイヤ５０と、マーカ６０と、コネクタ７０とを備える。
【００２１】
第１中空シャフト１０は、先端側シャフト１１と、基端側シャフト１２とを有している。先端側シャフト１１の先端は、メッシュ部材２０の基端に接続されている。基端側シャフト１２の先端は、先端側シャフト１１の基端に接続されている。基端側シャフト１２の基端には、コネクタ７０が接続されている。
【００２２】
先端側シャフト１１は、内部に順行性ガイドワイヤ、逆行性ガイドワイヤおよびコアワイヤ５０を挿通させるためのルーメン１３を有している。基端側シャフト１２は、内部にコアワイヤ５０を挿通させるためのルーメン１４を有している。先端側シャフト１１と基端側シャフト１２との接続部において、先端側シャフト１１と基端側シャフト１２とにより、基端側に向かって開口するガイドワイヤポート１５が形成されている。ガイドワイヤポート１５を介して逆行性ガイドワイヤがカテーテル１の外部に送出される。
【００２３】
第１中空シャフト１０を構成する材料としては、第１中空シャフト１０が血管内に挿通されることから、抗血栓性、可撓性および生体適合性を有していることが好ましく、樹脂材料又は金属材料が挙げられる。先端側シャフト１１は柔軟性が求められるため、樹脂材料が好ましい。例えば、ポリアミド樹脂、ポリオレフィン樹脂、ポリエステル樹脂、ポリウレタン樹脂、シリコーン樹脂、フッ素樹脂等を採用することができる。基端側シャフト１２としては押し込み性が求められるため、金属材料が好ましい。例えば、ＳＵＳ３０４などのステンレス鋼、ニッケルチタン合金、コバルトクロム合金等を採用することができる。
【００２４】
メッシュ部材２０は、径方向に拡張または収縮可能なチューブ状の部材である。このメッシュ部材２０は、後述するコアワイヤ５０を基端側に向かって引っ張る際、図２に示すように、面外変形して径方向外側へ膨出することで拡径し、この拡径したメッシュ部材２０の目開きを介して逆行性ガイドワイヤをカテーテル１に受け入れる。  
【００２５】
本実施形態では、メッシュ部材２０は、複数の素線２１が格子状に編まれて全体としてチューブ状になるように形成されている。また、メッシュ部材２０は、編まれた隣り合う素線間に目開きを有しており、拡径したときの拡大した目開きを通して逆行性ガイドワイヤを受け入れる。なお、メッシュ部材２０を構成する各素線２１の先端および基端には、それぞれ先端チップ３０および第１中空シャフト１０が接合されている。
【００２６】
ここで、メッシュ部材２０を構成する各素線２１は、単一の線および複数の線のいずれをも採用することができ、例えば線径などが異なる複数の金属線が撚り合わされた撚線から形成されていてもよい。
【００２７】
メッシュ部材２０の各素線２１を構成する材料としては金属材料又は樹脂材料を採用することができる。樹脂材料としては、ポリアミド、ポリエステル、ポリアリレート、及びポリエーテルエーテルケトン等があげられる。尚強度および可撓性を向上させる観点からは、金属材料であることが好ましい。当該金属材料としては、例えば、ＳＵＳ３０４などのステンレス鋼、ニッケルチタン合金、コバルトクロム合金等が挙げられる。なお、各素線２１は、同一の材料で形成されていてもよく、異なる材料で形成されていてもよい。
【００２８】
また、メッシュ部材２０の各素線２１を構成する材料としては、メッシュ部材２０の視認性を向上させる観点から、放射線不透過性材料であってもよい。当該放射線不透過材料としては、例えば、金、白金、タングステン、またはこれらの元素を含む合金（例えば、白金−ニッケル合金など）等が挙げられる。なお、放射線不透過性材料は、放射線不透過性ではない材料の表面にコートされるものなど、当該放射線不透過性材料とこの材料以外の材料とを組み合わせたものであってもよい。
【００２９】
メッシュ部材２０には、誘導膜２２が設けられ、誘導膜２２の先端は先端チップ３０の基端と第１中空シャフト１０の先端との間に位置している。誘導膜２２は、メッシュ部材２０の目開きを通して受け入れた逆行性ガイドワイヤを第１中空シャフト１０に向かって円滑に導くものである。誘導膜２２は、先端がメッシュ部材２０の長軸方向略中央部に位置し、基端が第１中空シャフト１０の先端に位置している。誘導膜２２は、隣り合う素線どうしを架橋するようにメッシュ部材２０上に形成されている。ここで、逆行性ガイドワイヤは、メッシュ部材２０が拡径する際に誘導膜２２が漏斗形状に展開することで、メッシュ部材２０を通して第１中空シャフト１０内に導かれる。なお、誘導膜２２は、少なくとも一部（例えば、誘導膜２２の先端外周など）がメッシュ部材２０に接合されていればよく、例えば、フィルム状のもの（不図示）であってもよい。
【００３０】
誘導膜２２を構成する材料としては、例えば、ポリエチレン、ポリウレタン、ポリアミド、ポリアミドエラストマー、ポリオレフィン、ポリエステル、ポリエステルエラストマー等が挙げられる。これらの中では、上記材料としては、表面の滑動性を向上させる観点から、ポリウレタンであることが好ましい。また、誘導膜２２を形成する方法としては特に限定されず、例えば、メッシュ部材２０に配置する誘導膜ではディップ法、フィルム状の誘導膜ではフィルムの先端をメッシュ部材２０に融着する方法等を採用することができる。
【００３１】
先端チップ３０は、メッシュ部材２０の先端に接続されている。先端チップ３０は、具体的には、カテーテル１が血管中を進行し易いように、先端側に向かって尖鋭状に形成されており、先端チップ３０の基端に、メッシュ部材２０の各素線２１の先端部、第２中空シャフト４０の先端部、およびコアワイヤ５０の先端部が埋設されている。
【００３２】
先端チップ３０を構成する材料としては、カテーテル１が血管中を進行することから、柔軟性を有していることが好ましい。当該柔軟性と有する材料としては、例えば、ポリウレタン、ポリウレタンエラストマーなどの樹脂材料等が挙げられる。
【００３３】
第２中空シャフト４０は、先端チップ３０に接続され、メッシュ部材２０の内側の空間にて基端側に突出している。第２中空シャフト４０の基端は、図１に示すように、メッシュ部材２０の内側の空間における第１中空シャフト１０の先端と先端チップ３０の基端との間に位置している。また、第２中空シャフト４０は、その基端が、図４に示すように、メッシュ部材２０が径方向外側に拡径した状態において、メッシュ部材２０の内側の空間における第１中空シャフト１０の先端と先端チップ３０の基端との間に位置するように構成されている。これは、逆行性ガイドワイヤを第１中空シャフト１０に受け入れ易くするためである。
【００３４】
第２中空シャフト４０を構成する材料としては、上述した第１中空シャフト１０と同様にこの第２中空シャフト４０も血管内に挿通されることから、抗血栓性、可撓性および生体適合性を有していることが好ましい。当該材料としては、例えば、第１中空シャフト１０の説明中で例示した材料と同様のもの等が挙げられるが、柔軟性の観点から樹脂材料が好ましい。
【００３５】
コアワイヤ５０は、先端が先端チップ３０に接続され、基端が第１中空シャフト１０の基端側に位置するコネクタ７０の外部まで延びている。よって、コアワイヤ５０は、メッシュ部材２０および第１中空シャフト１０のルーメン１３、１４およびコネクタ７０の通孔７１を貫通している。なお、術者がコアワイヤ５０をコネクタ７０の外部にて操作することで、当該コアワイヤ５０が長軸方向に進退し、メッシュ部材２０が径方向に拡縮する。
【００３６】
図２（ａ）は、コアワイヤ５０の平面視の概略図であり、（ｂ）はコアワイヤ５０の側面視の概略図である。
図３は、カテーテル１の先端部の拡大断面図である。
【００３７】
コアワイヤ５０は、基端部５１と、テーパ部５２と、先端部５３とを有している。
【００３８】
基端部５１は、カテーテル１のうちの基端側に位置し、その基端はコネクタ７０の外部に位置する。また、基端部５１は、その基端から先端にわたって略一定の外径を有する。
【００３９】
テーパ部５２は、基端部５１の先端側に位置し、基端部５１の先端から先端側に延び、先端側に向かうにつれて外形が先細るように構成されている。
【００４０】
先端部５３は、テーパ部５２の先端側に位置し、テーパ部５２の先端から先端側に延びている。先端部５３は、基端から先端にわたって略一定の厚さを有する平板状をなしている。先端部５３に先端付近には、楕円状の貫通穴５４が形成されている。
【００４１】
図３に示すように、先端部５３の貫通穴５４には、先端チップ３０の一部が入り込んでいる。また、本実施形態では、貫通穴５４の基端は先端チップ３０の基端よりも基端側に位置しているが、貫通穴５４の基端は先端チップ３０の基端よりも先端側に位置していてもよい。
【００４２】
コアワイヤ５０を構成する材料としては、コアワイヤ５０自身の切断を防止しかつメッシュ部材２０を確実に拡縮する観点から、十分な引張強度および剛性を有していることが好ましい。当該材料としては、例えば、ＳＵＳ３０４などのステンレス鋼、ニッケルチタン合金、コバルトクロム合金などの金属材料等が挙げられる。
【００４３】
マーカ６０は、横断面視の形状が略環状または略Ｃ形状であり、第２中空シャフト４０およびコアワイヤ５０を覆っている。マーカ６０により、第２中空シャフト４０の基端がコアワイヤ５０から離間せずに、これらを一体となって動かすことができる。
【００４４】
マーカ６０は、ポリアミド樹脂、ポリオレフィン樹脂、ポリエステル樹脂、ポリウレタン樹脂、シリコーン樹脂、フッ素樹脂等の樹脂材料又はＳＵＳ３０４などのステンレス鋼、ニッケルチタン合金、コバルトクロム合金などの金属材料で形成される。樹脂で形成する場合には当該樹脂に三酸化ビスマス、タングステン、硫酸バリウム等の放射線不透過材料を混ぜることが好ましく、金属材料で形成する場合には白金、タングステン等の放射線不透過材料で形成することがこのましい。マーカ６０は、メッシュ部材２０の拡張時に誘導膜２２の先端付近に位置することが好ましい。
【００４５】
コネクタ７０は、術者がカテーテル１を把持する部材である。コネクタ７０は、図１に示すように、第１中空シャフト１０の基端に接続されており、コアワイヤ５０を外部に露出できるように、第１中空シャフト１のルーメン１３、１４と相通する通孔７１と、この通孔７１の基端に形成された開口部７２とを有している。なお、コネクタ７０の形態は特に限定されず、オペレータが把持し易ければいずれの形状であってもよい。
【００４６】
次に、上述したカテーテル１の使用態様の一例について説明する。
【００４７】
まず順行性ガイドワイヤＷ１（不図示）を例えば血管内に挿入した後、血管に沿って閉塞物が存在する部位（以下、「閉塞部位」ともいう）まで押し進める。順行性ガイドワイヤＷ１の先端が閉塞部位に到達した後、順行性ガイドワイヤＷ１をガイドとしてバルーンカテーテル（不図示）を閉塞部位まで挿入し、バルーンを拡径させることによって閉塞部位を押し広げる。閉塞部位を押し広げた後、バルーンを縮径させてバルーンカテーテルを血管内から抜去する。
【００４８】
次に、順行性ガイドワイヤＷ１の基端が先端チップ３０の開口部から、先端チップ３０および第２中空シャフト４０の通孔、メッシュ部材２０の内側の空間、並びに先端側シャフト１１のルーメン１３を通ってガイドワイヤポート１５を経てカテーテル１の外部に出るように、順行性ガイドワイヤＷ１をカテーテル１に挿通する。順行性ガイドワイヤＷ１をガイドとしてカテーテル１の先端を血管内にてバルーンカテーテルで押し広げられた閉塞部位まで押し進める。この際、カテーテル１は、メッシュ部材２０が縮径した状態で血管に挿入され、カテーテル１の先端が閉塞部位に到達するまで上記縮径した状態を維持する。
【００４９】
カテーテル１の先端が閉塞部位に到達した後、順行性ガイドワイヤＷ１を基端側に引っ張ることで順行性ガイドワイヤＷ１をカテーテル１から引き抜く。次いで、コネクタ７０の外部に露出しているコアワイヤ５０を基端側に向かって引っ張ることでメッシュ部材２０の先端と第１中空シャフト１０の先端との間隔が狭まり、結果としてメッシュ部材２０が径方向外側に面外変形して拡径する。この際、本実施形態では、誘導膜２２の先端がメッシュ部材２０の長軸方向略中央部に接合されているので、メッシュ部材２０の拡径に追従して誘導膜２２が拡径され、誘導膜２２が全体として漏斗形状になる。なお、メッシュ部材２０の拡径に伴って目開きも拡張されるので、逆行性ガイドワイヤＷ２を受け入れやすい状態となる。また、第２中空シャフト４０は、その基端がマーカ６０によりコアワイヤ５０に拘束されているので、第２中空シャフト４０が傾倒せず、カテーテル１の長軸方向（長手方向）に沿って移動する。尚、カテーテル１の先端が、順行性ガイドワイヤＷ１に沿って閉塞部位まで到達した後、メッシュ部材２０を拡径させ、その後に順行性ガイドワイヤＷ１を基端側に引っ張ることで順行性ガイドワイヤＷ１をカテーテル１から引き抜くこととしてもよい。
【００５０】
次に、図４に示すように、先端側から向かって来る逆行性ガイドワイヤＷ２をカテーテル１に受け入れる。上記逆行性ガイドワイヤＷ２が向かってくる経路としては、例えば、閉塞部位を囲繞する血管壁内の偽腔、閉塞部位を貫通する貫通孔等が想定されるが、いずれの経路からの逆行性ガイドワイヤＷ２であってもよい。逆行性ガイドワイヤＷ２は、拡径したメッシュ部材２０の目開きを通してメッシュ部材２０の内側の空間に受け入れられた後、第１中空シャフト１０の先端側シャフト１１に挿通され、ガイドワイヤポート１５を介してカテーテル１の外部に送出される。
【００５１】
以上のように、カテーテル１において、コアワイヤ５０の先端部５３に形成された貫通穴５４に、先端チップ３０の一部が入り込んでいるので、先端チップ３０とコアワイヤ５０とを強固に固着することができる。また、コアワイヤ５０の先端部５３に穴を形成することにより、カテーテル１の先端部の柔軟性を確保することができる。
【００５２】
また、本実施形態におけるコアワイヤ５０の先端部５３に形成された穴は、貫通穴５４であるので、先端チップ３０とコアワイヤ５０とをより強固に固着することができる。
【００５３】
また、先端部５３は、平板状をなしているので、先端チップ３０の一部が、確実に貫通穴５４に入り込み、かつ、先端部５３の両面を容易に覆うことができるので、先端チップ３０およびコアワイヤ５０をより強固に固着することができる。
【００５４】
また、先端部５３に形成する貫通穴の形状は、先端に向かうにつれて幅が広がるように形成された略三角形の貫通穴５５（図５）であってもよいし、四角形の貫通穴５６（図６）であってもよいし、複数の貫通穴５７（図７）であってもよし、切欠き状の複数の貫通穴５８（図８）であってもよい。先端に向かうにつれて幅が広がるように形成された略三角形の貫通穴５５であれば、カテーテル１の先端部の柔軟性をより向上させることができる。
【００５５】
［第２の実施形態］
図９は、第２の実施形態に係るカテーテル１０１の先端部の拡大断面図である。
図９において、図示左側が体内に挿入される先端側（遠位側）、右側が医師等の手技者によって操作される基端側（手元側、近位側）である。
【００５６】
カテーテル１０１は、第１中空シャフト１０（図１）と、メッシュ部材２０と、先端チップ３０と、第２中空シャフト４０と、コアワイヤ１５０と、マーカ６０（図１）と、コネクタ７０（図１）とを備える。カテーテル１０１は、コアワイヤ１５０の構成が第１の実施形態のコアワイヤ５０と異なっている。第１中空シャフト１０、メッシュ部材２０、先端チップ３０、第２中空シャフト４０、マーカ６０、およびコネクタ７０の構成は、第１の実施形態のものと同様であるため、その説明を省略する。
【００５７】
図１０（ａ）は、コアワイヤ１５０の平面視の概略図であり、（ｂ）は（ａ）に示したコアワイヤ１５０のＩＸｂ−ＩＸｂ線に沿った概略断面図である。
【００５８】
コアワイヤ１５０は、貫通穴ではなく、凹部状の穴が形成されている点において、第１の実施形態のコアワイヤ５０と構成が異なる。穴以外のコアワイヤ１５０の構成は、第１の実施形態のコアワイヤ５０と同じである。図１０に示すように、コアワイヤ１５０の先端部５３に先端には、平面視円状の複数の凹部１５４が形成されている。図９に示すように、各凹部１５４内に、先端チップ３０の一部が入り込んでいる。なお、複数の凹部１５４のうち、基端側に位置する凹部１５４は、先端チップ３０の基端よりも基端側に位置していてもよいし、先端チップ３０の基端よりも先端側に位置していてもよい。
【００５９】
以上のように、カテーテル１０１において、コアワイヤ１５０の先端部５３に形成された凹部１５４に、先端チップ３０の一部が入り込んでいるので、先端チップ３０とコアワイヤ１５０とを強固に固着することができる。
【００６０】
また、先端部５３は、平板状をなしているので、先端チップ３０の一部が、確実に凹部１５４に入り込み、かつ、先端部５３の両面を容易に覆うことができるので、先端チップ３０およびコアワイヤ１５０をより強固に固着することができる。
【００６１】
また、先端部５３に形成する凹部は、コアワイヤ１５０の長軸方向に対し交差する方向に延びる形状の凹部１５５（図１１）であってもよい。当該凹部１５５であれば、コアワイヤ１５０の長軸方向の動きに対して、コアワイヤ１５０が先端チップ３０から外れてしまうことを抑制することができる。
【００６２】
なお、本発明は、上述した実施形態の構成に限定されるものではなく、特許請求の範囲によって示され、特許請求の範囲と均等の意味および範囲内での全ての変更が含まれることが意図される。例えば、上述した実施形態の構成のうちの一部を削除したり、他の構成に置換してもよく、上述した実施形態の構成に他の構成を追加等してもよい。
【００６３】
例えば、図１２に示すように、コアワイヤ５０、１５０の先端部５３は、先端に向かうにつれて厚さが減少するテーパ形状をなしていてもよい。かかる構成により、カテーテル５０、１５０の先端部５３の柔軟性をより向上させることができる。
【符号の説明】
【００６４】
１、１０１  カテーテル
１０  第１中空シャフト
２０  メッシュ部材
３０  先端チップ
４０  第２中空シャフト
５０、１５１  コアワイヤ
５３  先端部
５４、５５、５６、５７、５８  貫通穴
１５４、１５５  凹部
【図１】
2020062318.tif 000003
【図２】
2020062318.tif 000004
【図３】
2020062318.tif 000005
【図４】
2020062318.tif 000006
【図５】
2020062318.tif 000007
【図６】
2020062318.tif 000008
【図７】
2020062318.tif 000009
【図８】
2020062318.tif 000010
【図９】
2020062318.tif 000011
【図１０】
2020062318.tif 000012
【図１１】
2020062318.tif 000013
【図１２】
2020062318.tif 000014